(57)【特許請求の範囲】
【請求項１】
画像撮像装置と画像転送装置とを備え、前記画像撮像装置に設けられた記憶媒体に画像を記憶させる画像記憶システムであって、
前記画像転送装置は、前記画像を前記画像撮像装置に転送する画像転送部を有し、
前記画像撮像装置は、前記記憶媒体を筐体の内部に収容しており、
前記画像転送装置から転送された前記画像を受け取る、前記筐体の内部に配設された画像受取部と、
前記画像受取部により受け取られた前記画像を前記記憶媒体に記憶させる制御部と、
電源回路を介して撮像ユニットに電力を供給するメイン電源と、
前記画像撮像装置のタイマの電力をバックアップするサブ電源と、
前記画像転送装置から前記画像撮像装置に前記画像が転送されていることを検知する検知部と
を有し、
前記検知部は、前記画像が転送されていることを検知した場合、前記電源回路が起動しているときには、前記メイン電源から前記記憶媒体および前記画像受取部へ電力を供給させ、前記電源回路が起動していないときには、前記サブ電源から前記記憶媒体および前記画像受取部へ電力を供給させる画像記憶システム。
【請求項２】
前記画像撮像装置は、
前記撮像ユニットと前記画像受取部とのいずれかを、前記記憶媒体の信号入力端子に接続する信号線用のスイッチと、
前記記憶媒体を制御する記憶制御部とメインＣＰＵとのいずれかを、前記記憶媒体の制御入力端子に接続する制御線用のスイッチと
をさらに有し、
前記検知部は、前記画像が転送されていることを検知した場合、前記信号線用のスイッチに前記画像受取部と前記記憶媒体の前記信号入力端子とを接続させ、前記制御線用のスイッチに前記記憶制御部と前記記憶媒体の前記制御入力端子とを接続させ、前記画像が転送されていることを検知していない場合に、前記信号線用のスイッチに前記撮像ユニットと前記記憶媒体の前記信号入力端子とを接続させ、前記制御線用のスイッチに前記メインＣＰＵと前記記憶媒体の前記制御入力端子とを接続させる請求項１に記載の画像記憶システム。
【請求項３】
前記画像撮像装置は、電気回路がパターン形成されたプリント基板を前記筐体の内部にさらに有し、
前記記憶媒体は、前記プリント基板の上に半田付けされている請求項１または２に記載の画像記憶システム。
【請求項４】
前記画像転送装置は、前記画像撮像装置の一部を収容可能な収容部をさらに有し、
前記画像受取部は、前記画像撮像装置の一部が前記収容部に収容されている状態で、前記画像転送装置から転送された前記画像を受け取る請求項１乃至３のいずれかに記載の画像記憶システム。
【請求項５】
前記収容部は、前記画像を表す電気信号を出力する出力端子を有し、
前記画像撮像装置は、前記画像撮像装置の一部が前記収容部に収容された状態における前記出力端子と対応する前記筐体の一側面に、前記出力端子と勘合可能な入力端子をさらに有し、
前記画像受取部は、前記出力端子と前記入力端子とを介して転送された前記電気信号を受け取る請求項４に記載の画像記憶システム。
【請求項６】
前記画像転送部は、前記画像を表す電気信号を電波信号に変換して出力する電波信号変換部を有し、かつ、前記電波信号変換部により変換された前記電波信号を前記画像撮像装置に転送し、
前記画像撮像装置は、前記筐体の一側面に、前記筐体を経由して電波を透過させる電波透過部が設けられ、
前記画像受取部は、
前記電波信号変換部から発せられ、前記電波透過部を透過した前記電波信号を受信する受信部と、
前記受信部により受信された前記電波信号を、前記画像を表す前記電気信号に変換する画像信号変換部と
を有する請求項１乃至４のいずれかに記載の画像記憶システム。
【請求項７】
前記画像転送部は、前記画像を表す電気信号を光信号に変換して出力する光信号変換部を有し、かつ、前記光信号変換部により変換された前記光信号を前記画像撮像装置に転送し、
前記画像撮像装置は、前記筐体の一側面に、前記筐体を経由して光を透過させる光透過部が設けられ、
前記画像受取部は、
前記光信号変換部から発せられ、前記光透過部を透過した前記光信号を受光する受光部と、
前記受光部により受光された前記光信号を、前記画像を表す前記電気信号に変換する画像信号変換部と
を有する請求項１乃至４のいずれかに記載の画像記憶システム。
【請求項８】
電源回路を介して撮像ユニットに電力を供給するメイン電源と、筐体の内部のタイマの電力をバックアップするサブ電源とを備える画像撮像装置の、前記筐体の内部に収容された記憶媒体に画像を記憶させる画像記憶方法であって、
前記画像を前記画像撮像装置に転送する画像転送装置から転送された前記画像を前記筐体の内部に設けられた画像受取部により受け取る段階と、
前記画像受取部により受け取られた前記画像を前記記憶媒体に記憶させる段階と、
前記画像撮像装置に前記画像が転送されていることを検知する段階と、
前記画像が転送されていることを検知した場合、前記電源回路が起動しているときには、前記メイン電源から前記記憶媒体および転送された前記画像を受け取る画像受取部へ電力を供給させ、前記電源回路が起動していないときには、前記サブ電源から前記記憶媒体および前記画像受取部へ電力を供給させる段階と
を備える画像記憶方法。
【請求項９】
前記画像が転送されていることを検知した場合、信号線用のスイッチに前記画像受取部と前記記憶媒体の信号入力端子とを接続させ、制御線用のスイッチに前記記憶媒体を制御する記憶制御部と前記記憶媒体の制御入力端子とを接続させ、前記画像が転送されていることを検知していない場合に、前記信号線用のスイッチに前記撮像ユニットと前記記憶媒体の前記信号入力端子とを接続させ、前記制御線用のスイッチにメインＣＰＵと前記記憶媒体の前記制御入力端子とを接続させる段階をさらに備える請求項８に記載の画像記憶方法。
【請求項１０】
筐体の内部に収容された記憶媒体に、前記筐体の外部に配された画像転送装置から転送された画像を記憶させる画像撮像装置であって、
被写体画像を撮像する撮像ユニットと、
前記画像転送装置から転送された前記画像を受け取る、前記筐体の内部に配設された画像受取部と、
前記画像受取部により受け取られた前記画像を前記記憶媒体に記憶させる制御部と、
電源回路を介して前記撮像ユニットに電力を供給するメイン電源と、
前記画像撮像装置のタイマの電力をバックアップするサブ電源と、
前記画像転送装置から前記画像撮像装置に前記画像が転送されていることを検知する検知部と
を有し、
前記検知部は、前記画像が転送されていることを検知した場合、前記電源回路が起動しているときには、前記メイン電源から前記記憶媒体および前記画像受取部へ電力を供給させ、前記電源回路が起動していないときには、前記サブ電源から前記記憶媒体および前記画像受取部へ電力を供給させる画像撮像装置。
【請求項１１】
前記撮像ユニットと前記画像受取部とのいずれかを、前記記憶媒体の信号入力端子に接続する信号線用のスイッチと、
前記記憶媒体を制御する記憶制御部とメインＣＰＵとのいずれかを、前記記憶媒体の制御入力端子に接続する制御線用のスイッチと
をさらに有し、
前記検知部は、前記画像が転送されていることを検知した場合、前記信号線用のスイッチに前記画像受取部と前記記憶媒体の前記信号入力端子とを接続させ、前記制御線用のスイッチに前記記憶制御部と前記記憶媒体の前記制御入力端子とを接続させ、前記画像が転送されていることを検知していない場合に、前記信号線用のスイッチに前記撮像ユニットと前記記憶媒体の前記信号入力端子とを接続させ、前記制御線用のスイッチに前記メインＣＰＵと前記記憶媒体の前記制御入力端子とを接続させる請求項１０に記載の画像撮像装置。
【請求項１２】
前記画像受取部は、当該画像撮像装置の一部が前記画像転送装置に設けられた収容部に収容されている状態で、前記画像転送装置から転送された前記画像を受け取る請求項１０または１１に記載の画像撮像装置。
【請求項１３】
前記画像撮像装置の一部が前記収容部に収容された状態における、前記収容部に設けられた前記画像を表す電気信号を出力する出力端子と対応する前記筐体の一側面に、前記出力端子と勘合可能な入力端子をさらに有し、
前記画像受取部は、前記画像転送装置から前記入力端子を介して転送された前記電気信号を受け取る請求項１２に記載の画像撮像装置。
【請求項１４】
前記筐体の一側面に、前記筐体を経由して電波を透過させる電波透過部が設けられ、
前記画像受取部は、前記画像転送装置において前記画像を表す電気信号を変換して得られた電波信号であって、前記電波透過部を透過した前記電波信号を受信する受信部と、
前記受信部により受信された前記電波信号を、前記画像を表す前記電気信号に変換する画像信号変換部と
を有する請求項１０乃至１２のいずれかに記載の画像撮像装置。
【請求項１５】
前記受信部は、受信面が前記電波透過部に対向するように設けられている請求項１４に記載の画像撮像装置。
【請求項１６】
前記筐体の一側面に、前記筐体を経由して光を透過させる光透過部が設けられ、
前記画像受取部は、前記画像転送装置において前記画像を表す電気信号を変換して得られた光信号であって、前記光透過部を透過した前記光信号を受光する受光部と、
前記受光部により受光された前記光信号を、前記画像を表す前記電気信号に変換する画像信号変換部と
を有する請求項１０乃至１２のいずれかに記載の画像撮像装置。
【請求項１７】
前記受光部は、受光面が前記光透過部に対向するように設けられている請求項１６に記載の画像撮像装置。
【発明の詳細な説明】
【０００１】
【発明の属する技術分野】
本発明は、画像記憶システムおよび画像記憶方法、並びに画像転送装置および画像撮像装置に関する。特に本発明は、画像撮像装置に設けられた記憶媒体に画像を記憶させる画像記憶システムおよび画像記憶方法、並びにこれに用いられる画像転送装置および画像撮像装置に関する。
【０００２】
【従来の技術】
画像撮像装置は、撮像部により撮像した画像を、磁気記録媒体、光磁気記録媒体（ＭＯ）、あるいは半導体メモリなどの記憶媒体に記憶させる。記憶された画像は、たとえばパソコンなどに取り込まれて処理された後にモニタ上に表示再生されたり、あるいはラボにてプリント出力される。
【０００３】
【発明が解決しようとする課題】
一方、今日では、前記記憶媒体に、広告画像などの付加画像を予め記憶させておくものがある。ここで、記憶媒体に広告画像などを記憶させる場合、従来は、メモリカードなどの記憶媒体を画像撮像装置から取り出して、パソコンなどのカード装着口に挿入して、広告画像などをメモリカードなどに記憶させており、面倒であった。
【０００４】
そこで本発明は、上記の課題を解決することのできる画像記憶システムおよび画像記憶方法、並びに画像転送装置および画像撮像装置を提供することを目的とする。この目的は特許請求の範囲における独立項に記載の特徴の組み合わせにより達成される。また従属項は本発明のさらなる有利な具体例を規定する。
【０００５】
【課題を解決するための手段】
すなわち、本発明の第１の形態に係る画像記憶システムは、画像撮像装置と画像転送装置とを備え、画像撮像装置に設けられた記憶媒体に画像を記憶させる画像記憶システムであって、画像転送装置は、画像を画像撮像装置に転送する画像転送部を有し、画像撮像装置は、記憶媒体を筐体の内部に収容しているとともに、画像転送装置から転送された画像を受け取る、筐体の内部に配設された画像受取部と、該画像受取部により受け取られた画像を記憶媒体に記憶させる制御部とを有する。
【０００６】
本発明の画像記憶システムにおいては、画像撮像装置は、電気回路をパターン形成されたプリント基板を筐体の内部に有し、記憶媒体は、プリント基板の上に半田付けされているとよい。
【０００７】
本発明の画像記憶システムにおいては、画像転送装置は、画像撮像装の一部を収容可能な収容部を有し、画像受取部は、画像撮像装置の一部が収容部に収容されている状態で、画像転送装置から転送された画像を受け取るとよい。
【０００８】
本発明の画像記憶システムにおいては、収容部は、画像を表す電気信号を出力する出力端子を有し、画像撮像装置は、画像撮像装置の一部が収容部に収容された状態における出力端子と対応する筐体の一側面に、出力端子と勘合可能な入力端子を有し、画像受取部は、出力端子と入力端子とを介して転送された電気信号を受け取るとよい。
【０００９】
本発明の画像記憶システムにおいては、画像転送部は、画像を表す電気信号を電波信号に変換して出力する電波信号変換部を有し、かつ、電波信号変換部により変換された電波信号を画像撮像装置に転送し、画像撮像装置は、筐体の一側面に、筐体を経由して電波を透過させる電波透過部が設けられ、画像受取部は、電波信号変換部から発せられ、電波透過部を透過した電波信号を受信する受信部と、受信部により受信された電波信号を画像を表す電気信号に変換する画像信号変換部とを有するとよい。
【００１０】
本発明の画像記憶システムにおいては、画像転送部は、画像を表す電気信号を光信号に変換して出力する光信号変換部を有し、かつ光信号変換部により変換された光信号を画像撮像装置に転送し、画像撮像装置は、筐体の一側面に、筐体を経由して光を透過させる光透過部が設けられ、画像受取部は、光信号変換部から発せられ、光透過部を透過した光信号を受光する受光部と、受光部により受光された光信号を画像を表す電気信号に変換する画像信号変換部とを有するとよい。
【００１１】
本発明の第２の形態に係る画像記憶方法は、画像撮像装置の筐体の内部に収容された記憶媒体に画像を記憶させる画像記憶方法であって、筐体の外部に、画像を画像撮像装置に転送する画像転送装置を配設し、画像転送装置から転送された画像を筐体の内部に設けられた画像受取部により受け取り、画像受取部により受け取られた画像を記憶媒体に記憶させる。
【００１２】
本発明の第３の形態に係る画像転送装置は、画像撮像装置の筐体の内部に収容された記憶媒体に記憶させるための画像を画像撮像装置に転送する画像転送装置であって、画像撮像装置の一部を収容可能な収容部と、画像撮像装置の一部が収容部に収容されている状態で、画像撮像装置に画像を転送する画像転送部とを備える。
【００１３】
本発明の画像転送装置においては、収容部は、画像を表す電気信号を出力する出力端子を有するとよい。
【００１４】
本発明の画像転送装置においては、画像転送部は、像像を表す電気信号を電波信号に変換して出力する電波信号変換部を有し、電波信号変換部により変換された電波信号を画像撮像装置に転送するとよい。
【００１５】
本発明の画像転送装置においては、画像転送部は、画像を表す電気信号を光信号に変換して出力する光信号変換部を有し、光信号変換部により変換された光信号を画像撮像装置に転送するとよい。
【００１６】
本発明の第４の形態に係る画像撮像装置は、被写体画像を撮像する撮像部を備るとともに、筐体の内部に収容された記憶媒体に、筐体の外部に配された画像転送装置から転送された画像を記憶させる画像撮像装置であって、画像転送装置から転送された画像を受け取る、筐体の内部に配設された画像受取部と、画像受取部により受け取られた画像を記憶媒体に記憶させる制御部とを有する。
【００１７】
本発明の画像撮像装置においては、画像受取部は、当該画像撮像装置の一部が画像転送装置に設けられた収容部に収容されている状態で、画像転送装置から転送された画像を受け取るとよい。
【００１８】
本発明の画像撮像装置においては、画像撮像装置の一部が収容部に収容された状態における、収容部に設けられた画像を表す電気信号を出力する出力端子と対応する筐体の一側面に、出力端子と勘合可能な入力端子を有し、画像受取部は、画像転送装置から入力端子を介して転送された電気信号を受け取るとよい。
【００１９】
本発明の画像撮像装置においては、筐体の一側面に、筐体を経由して電波を透過させる電波透過部が設けられ、画像受取部は、画像転送装置において画像を表す電気信号を変換して得られた電波信号であって、電波透過部を透過した電波信号を受信する受信部と、受信部により受信された電波信号を画像を表す電気信号に変換する画像信号変換部とを有するとよい。
【００２０】
本発明の画像撮像装置においては、受信部は、受信面が電波透過部に対向するように設けられているとよい。
【００２１】
本発明の画像撮像装置においては、筐体の一側面に、筐体を経由して光を透過させる光透過部が設けられ、画像受取部は、画像転送装置において画像を表す電気信号を変換して得られた光信号であって、光透過部を透過した光信号を受光する受光部と、受光部により受光された光信号を画像を表す電気信号に変換する画像信号変換部とを有するとよい。
【００２２】
本発明の画像撮像装置においては、受光部は、受光面が光透過部に対向するように設けられているとよい。
【００２３】
本発明の画像撮像装置においては、撮像部を作動させるメイン電源と、電力供給能力がメイン電源よりも小さいサブ電源とをさらに有し、画像受取部と制御部とは、サブ電源から電力の供給を受けて作動することにより、画像を記憶媒体に記憶させるとよい。
【００２４】
本発明の画像撮像装置においては、不揮発性の情報を記憶する第２の記憶媒体をさらに有し、第２の記憶媒体は、サブ電源から電力の供給を受けて作動するとよい。
【００２５】
本発明の画像撮像装置においては、画像を表す信号が、画像転送装置から当該画像撮像装置に転送されたか否かを検知する検知部と、記憶媒体、画像受取部、および制御部への電力供給を、メイン電源とサブ電源のいずれか一方に切り替える切替部であって、画像が画像転送装置から当該画像撮像装置に転送されたことを検知部が検知したことを条件として、サブ電源側に切り替える電源切替部とを有するとよい。
【００２６】
本発明の画像撮像装置においては、検知部は、画像転送装置から転送され筐体を通過した画像を表す信号を検出することにより、画像を表す信号が当該画像撮像装置に転送されたか否かを検知するとよい。
【００２７】
本発明の画像撮像装置においては、記憶媒体への信号線および制御線を、画像転送装置から転送された画像を記憶させるための転送画像記録側と、当該画像撮像装置により撮像された被写体画像を記憶させるための被写体画像記録側のいずれか一方に切り替える切替部であって、画像が画像転送装置から当該画像撮像装置に転送されたことを検知部が検知したことを条件として、転送画像記録側に切り替える信号制御線切替部をさらに有するとよい。
【００２８】
なお上記の発明の概要は、本発明の必要な特徴の全てを列挙したものではなく、これらの特徴群のサブコンビネーションもまた発明となり得る。
【００２９】
【発明の実施の形態】
以下、発明の実施の形態を通じて本発明を説明するが、以下の実施形態はクレームにかかる発明を限定するものではなく、また実施形態の中で説明されている特徴の組み合わせの全てが発明の解決手段に必須であるとは限らない。
【００３０】
図１は、画像撮像装置の一例としての第１実施形態によるデジタルカメラ１０の外観図であって、図１（Ａ）は撮像面、図１（Ｂ）は操作面、図１（Ｃ）は側面を示す。デジタルカメラ１０の主要部材は、主に撮像面側を担う略凹状の第１筐体（フロントカバー）２０２と、主に操作面側を担う略凹状の第２筐体（リアカバー）２０４との各凹状の内部に収容されており、２つの筐体２０２，２０４の辺縁は勘合している。第１筐体２０２と第２筐体２０４とを纏めて、以下筐体２００という。
【００３１】
主要部材を収容し組み上げられた後の筐体２００の外側は、撮像面側に撮影レンズ２２が、操作面側にＬＣＤモニタ１０２、パワースイッチ１１２、および操作スイッチ１１６ａ，１１６ｂが、それぞれ解放された状態となるように、所定形状の外装紙２１０で包み込まれている。
【００３２】
外装紙２１０の撮像面側には、筐体２００の内部に収容されている記憶媒体（画像メモリ）１７７に予め記憶された付加画像の内容を示すインデックス情報や販売地に関する画像が印刷されている。なお記憶媒体１７７に予め記憶されている付加画像は、撮像ユニット２０により撮像された被写体画像とは異なる画像である。たとえば記憶媒体１７７は、少なくとも一部の記憶領域に、付加画像の一例であるデジタルカメラ１０の主要販売地域（ご当地）に関わる画像、たとえば御当地情報を示す画像などを記憶している。御当地情報を示す画像は、たとえば販売地が観光地である場合には、種々の観光スポットの画像であるとよい。図１（Ａ）に示す例では、このデジタルカメラ１０の主要販売地である「名古屋」に関する画像が付加画像として記憶され、これに応じて、「名古屋」を示す文字がインデックス情報として、名古屋城の画像が販売地に関する画像として、それぞれ印刷されている。付加画像として記憶媒体１７７に記憶される「名古屋」に関する画像は、たとえば名古屋における観光スポットの画像、あるいは土産店や宿泊施設などの広告画像である。
【００３３】
外装紙２１０の操作面側には、デジタルカメラ１０を操作するための手順を示す情報が印刷されている。
【００３４】
筐体２００の側面には、付加画像を表す画像信号をデジタルカメラ１０内に入力するための入力端子１４０が設けられている。この入力端子１４０は、図示しない画像転送装置に設けられた収容部にデジタルカメラ１０の一部が収容された状態において、収容部内に設けられた出力端子と対応する筐体２００の一側面に設けられる。また、入力端子１４０は、画像転送装置側の出力端子と勘合可能なものである。入力端子１４０は、封止シール２２０などの封止部材により覆われており、ユーザが入力端子１４０に直接触れることができないようになっている。筐体２００の上面には、レリーズスイッチ１１４が設けられている。
【００３５】
図２は、筐体２００内に収容される主要部材を示す。電気回路をパターン形成してあるメイン基板１７０上に、メインＣＰＵ６２、タイマ８６、ＬＣＤモニタ１０２、サブ電源１２２、入力端子１４０、および記憶媒体１７７などが、半田付けにより取り付けられて、基板アッセンブリ１９９が形成されている。デジタルカメラ１０が組み上げられた状態においては、ユーザが記憶媒体１７７を筐体２００の外部に取り出すことは殆ど不可能である。
【００３６】
メイン電源１２０は、たとえばリチウムイオン電池などである。サブ電源１２２は、たとえばＣＲ２０１６などのボタン型の電池である。サブ電源１２２は、電力供給能力がメイン電源１２０よりも小さく、かつ低電圧である。
【００３７】
メイン基板１７０の図中左側には、電極端子１９２，１９４が設けられており、組み上げ時には、２つの電極端子１９２，１９４の間にメイン電源１２０が装着される。一方撮像ユニット２０は、組み上げ時に、端子２２ａ，２２ｂを介して、メイン基板１７０に搭載される。
【００３８】
図３は、第１実施形態によるデジタルカメラ１０の機能ブロック図である。デジタルカメラ１０には、デジタルスチルカメラや静止画像を撮影できるデジタルビデオカメラなどが含まれる。デジタルカメラ１０は、主に本発明の撮像部の一例である撮像ユニット２０、撮像制御ユニット４０、処理ユニット６０、本発明の画像表示部の一例である表示ユニット１００、操作ユニット１１０、および電源回路１２８を含む。
【００３９】
デジタルカメラ１０は、電源回路１２８を介して電力を供給することで撮像ユニット２０を作動させるメイン電源１２０を備えている。このメイン電源１２０は、撮像ユニット２０の他に、撮像制御ユニット４０、処理ユニット６０、表示ユニット１００、および操作ユニット１１０にも電力を供給する。処理ユニット６０は、電力供給能力がメイン電源１２０よりも小さいサブ電源１２２を備えている。
【００４０】
撮像ユニット２０は、撮影および結像に関する機構部材および電気部材を含む。撮像ユニット２０はまず、映像を取り込んで処理を施す撮影レンズ２２、絞り２４、シャッタ２６、光学ＬＰＦ（ローパスフィルタ）２８、固体撮像素子の一例であるＣＣＤ３０、および撮像信号処理部３２を含む。固体撮像素子は、ＣＣＤ３０に限らず、たとえばＣ−ＭＯＳ型のセンサであってもよい。
【００４１】
撮影レンズ２２は、フォーカスレンズやズームレンズなどからなる。この構成により、被写体像がＣＣＤ３０の受光面上に結像する。結像した被写体像の光量に応じ、図示しないＣＣＤ３０の各センサエレメントに電荷が蓄積される。以下この電荷を蓄積電荷という。蓄積電荷は、リードゲートパルスによって、図示しないシフトレジスタに読み出され、レジスタ転送パルスによってアナログの電圧信号として順次読み出される。
【００４２】
デジタルカメラ１０は一般に電子シャッタ機能を有するので、シャッタ２６のような機械式シャッタは必須ではない。電子シャッタ機能を実現するために、ＣＣＤ３０にシャッタゲートを介してシャッタドレインが設けられる。シャッタゲートを駆動すると蓄積電荷がシャッタドレインに掃き出される。シャッタゲートの制御により、各センサエレメントに電荷を蓄積するための時間、すなわちシャッタ速度が制御できる。
【００４３】
ＣＣＤ３０から出力されたアナログの電圧信号は撮像信号処理部３２でＲ，Ｇ，Ｂの各成分に色分解され、まずホワイトバランスが調整される。つづいて撮像信号処理部３２は、ガンマ補正を行ない、必要なタイミングでＲ，Ｇ，Ｂの各信号を順次Ａ／Ｄ変換し、その結果得られたデジタルの画像データ（以下デジタル画像データという）を処理ユニット６０へ出力する。
【００４４】
撮像ユニット２０はさらに、ファインダ３４とストロボ３６を有する。ファインダ３４には図示しないＬＣＤを内装してもよく、その場合、後述のメインＣＰＵ６２などからの各種情報をファインダ３４内に表示できる。ストロボ３６は、図示しないコンデンサに蓄えられたエネルギが放電管３６ａに供給されたときそれが発光することで機能する。
【００４５】
撮像制御ユニット４０は、ズーム駆動部４２、フォーカス駆動部４４、絞り駆動部４６、シャッタ駆動部４８、それらを制御する撮像系ＣＰＵ５０、測距センサ５２、および測光センサ５４を有する。ズーム駆動部４２などの駆動部は、それぞれステッピングモータなどの駆動手段を有する。後述のレリーズスイッチ（シャッタスイッチ）１１４の押下に応じ、測距センサ５２は被写体までの距離を測定し、測光センサ５４は被写体輝度を測定する。測定された距離のデータ（以下測距データという）および被写体輝度のデータ（以下測光データという）は撮像系ＣＰＵ５０へ送られる。撮像系ＣＰＵ５０は、ユーザ（操作者）から指示されたズーム倍率などの撮影情報に基づき、ズーム駆動部４２とフォーカス駆動部４４を制御して撮影レンズ２２のズーム倍率とピントの調整を行なう。撮像系ＣＰＵ５０は、視差画像を撮像するなどのために、ズーム駆動部４２を制御して撮影レンズ２２の位置を移動させてもよい。
【００４６】
撮像系ＣＰＵ５０は、１画像フレームのＲＧＢのデジタル信号積算値、すなわちＡＥ情報に基づいて絞り値とシャッタ速度を決定する。決定された値にしたがい、絞り駆動部４６とシャッタ駆動部４８がそれぞれ絞り量の調整とシャッタ２６の開閉を行なう。
【００４７】
撮像系ＣＰＵ５０はまた、測光データに基づいてストロボ３６の発光を制御し、同時に絞り２６の絞り量を調整する。ユーザが映像の取込みを指示したとき、ＣＣＤ３０が電荷蓄積を開始し、測光データから計算されたシャッタ時間の経過後、蓄積電荷が撮像信号処理部３２へ出力される。
【００４８】
処理ユニット６０は、デジタルカメラ１０全体、とくに処理ユニット６０自身を制御するメインＣＰＵ６２と、これによって制御されるメモリ制御部６４、ＹＣ処理部７０、圧縮伸張処理部７８、通信Ｉ／Ｆ部８０、およびクロック発生器８８を有する。
【００４９】
なお、オプション装置制御部７４を設け、オプション装置７６の一種として、画像を記憶する記憶媒体の一例であるメモリカードが装着されるようにしてもよい。
【００５０】
メインＣＰＵ６２は、シリアル通信などにより、撮像系ＣＰＵ５０との間で必要な情報をやりとりする。メインＣＰＵ６２の動作クロックは、クロック発生器８８から与えられる。クロック発生器８８は、撮像系ＣＰＵ５０、表示ユニット１００に対してもそれぞれ異なる周波数のクロックを提供する。
【００５１】
メインＣＰＵ６２には、キャラクタ生成部８４とタイマ８６とが併設されている。タイマ８６はサブ電源１２２でバックアップされて作動しており、つねに不揮発性の情報の一例である日時をカウントしている。このカウント値から撮影日時に関する情報、その他の時刻情報がメインＣＰＵ６２に与えられる。キャラクタ生成部８４は、撮影日時、タイトルなどの文字情報を発生し、この文字情報が適宜撮影画像に合成される。
【００５２】
このメインＣＰＵ６２は、記憶媒体１７７における広告画像が記憶されている記憶領域と同じ領域に撮像ユニット２０により撮像された被写体画像を記憶させる場合にはまず、記憶媒体１７７から少なくとも１枚の広告画像を読み出して表示ユニット１００に表示させる。その後、メインＣＰＵ６２は、記憶媒体１７７への画像記憶が許可されていることを条件として、記憶媒体１７７における、表示された広告画像の記憶領域と同じ領域に、被写体画像を記憶させる。
【００５３】
メモリ制御部６４は、不揮発性メモリ６６とメインメモリ６８を制御する。不揮発性メモリ６６は、ＥＥＰＲＯＭ（電気的消去およびプログラム可能なＲＯＭ）やＦＬＡＳＨメモリなどで構成され、ユーザによる設定情報や出荷時の調整値など、デジタルカメラ１０の電源がオフの間も保持すべきデータが格納されている。不揮発性メモリ６６には、場合によりメインＣＰＵ６２のブートプログラムやシステムプログラムなどが格納されてもよい。一方、メインメモリ６８は一般にＤＲＡＭのように比較的安価で容量の大きなメモリで構成される。メインメモリ６８は、撮像ユニット２０から出力されたデータを格納するフレームメモリとしての機能、各種プログラムをロードするシステムメモリとしての機能、その他ワークエリアとしての機能をもつ。不揮発性メモリ６６とメインメモリ６８は、処理ユニット６０内外の各部とメインバス８２を介してデータのやりとりを行なう。
【００５４】
ＹＣ処理部７０は、デジタル画像データにＹＣ変換を施し、輝度信号Ｙと色差（クロマ）信号Ｂ−Ｙ、Ｒ−Ｙを生成する。輝度信号と色差信号はメモリ制御部６４によってメインメモリ６８に一旦格納される。圧縮伸張処理部７８はメインメモリ６８から順次輝度信号と色差信号を読み出して圧縮する。こうして圧縮された被写体画像のデータ（以下圧縮データという）は、記憶媒体１７７の所定の記憶領域に記憶される（書き込まれる）。なお、オプション装置制御部７４を介してオプション装置７６の一種として装着されたメモリカードの所定の記憶領域に記憶させてもよい。
【００５５】
処理ユニット６０はさらにエンコーダ７２をもつ。エンコーダ７２は輝度信号と色差信号を入力し、これらをビデオ信号（ＮＴＳＣやＰＡＬ信号）に変換してビデオ出力端子９０から出力する。オプション装置７６に記録されたデータからビデオ信号を生成する場合、そのデータはまずオプション装置制御部７４を介して圧縮伸張処理部７８へ与えられる。つづいて、圧縮伸張処理部７８で必要な伸張処理が施されたデータはエンコーダ７２によってビデオ信号へ変換される。
【００５６】
オプション装置制御部７４は、記憶媒体１７７に認められる信号仕様およびメインバス８２のバス仕様にしたがい、メインバス８２と記憶媒体１７７の間で必要な信号の生成、論理変換、または電圧変換などを行なう。
【００５７】
デジタルカメラ１０は、オプション装置７６として前述のメモリカードのほかに、たとえばＰＣＭＣＩＡ準拠の標準的なＩ／Ｏカードをサポートしてもよい。その場合、オプション装置制御部７４は、ＰＣＭＣＩＡ用バス制御ＬＳＩなどで構成してもよい。
【００５８】
通信Ｉ／Ｆ部８０は、デジタルカメラ１０がサポートする通信仕様、たとえばＵＳＢ、ＲＳ−２３２Ｃ、イーサネット（登録商標）、Ｂｌｕｅｔｏｏｔｈ、ＩｒＤＡなどの仕様に応じたプロトコル変換などの制御を行なう。通信Ｉ／Ｆ部８０は、必要に応じてドライバＩＣを含み、ネットワークを含む外部機器とコネクタ９２を介して通信する。そうした標準的な仕様のほかに、たとえばプリンタ、カラオケ機、ゲーム機などの外部機器との間で独自のＩ／Ｆによるデータ授受を行なう構成としてもよい。
【００５９】
さらに処理ユニット６０は、それぞれメイン基板１７０（図２参照）に固定配置された、記憶媒体１７７と入力端子１４０とを有する。また処理ユニット６０は、筐体の外部から転送された付加画像を入力端子１４０を介して受け取る画像受取部１５０、画像受取部１５０が受け取った付加画像を記憶媒体１７７に記憶させる記憶制御部１６０をさらに有する。さらに処理ユニット６０は、付加画像がデジタルカメラ１０に転送されているか否かに応じて、記憶媒体１７７、画像受取部１５０、および記憶制御部１６０への電力供給、並びに記憶媒体１７７への信号線および制御線を切り替える起動制御部１３０を有する。
【００６０】
表示ユニット１００は、表示デバイスの一例であるＬＣＤモニタ１０２と、ＬＣＤパネル１０４とを有する。それらはＬＣＤドライバであるモニタドライバ１０６、パネルドライバ１０８によってそれぞれ制御される。ＬＣＤモニタ１０２は、たとえば２インチ程度の大きさでカメラ背面に設けられ、現在の撮影や再生のモード、撮影や再生のズーム倍率、電池残量、日時、モード設定のための画面、被写体画像などを表示する。ＬＣＤパネル１０４はたとえば小さな白黒ＬＣＤでカメラ上面に設けられ、画質（ＦＩＮＥ／ＮＯＲＭＡＬ／ＢＡＳＩＣなど）、ストロボ発光／発光禁止、標準撮影可能枚数、画素数、電池容量などの情報を簡易的に表示する。
【００６１】
操作ユニット１１０は、ユーザがデジタルカメラ１０の動作やそのモードなどを設定または指示するために必要な機構および電気部材を含む。パワースイッチ１１２は、デジタルカメラ１０のメイン電源のオンオフを決める。レリーズスイッチ１１４は、半押しと全押しの二段階押し込み構造になっている。メインＣＰＵ６２は、このレリーズスイッチ１１４の押し込み状態を監視し、たとえば操作者による半押し（シャッター半押し）を撮影の前処理の操作であると判断する一方、操作者による全押し（シャッター全押し）を撮影の実行処理の操作であると判断する。一例として、半押しでＡＦおよびＡＥがロックし、全押しで撮影画像の取込みが行なわれ、必要な信号処理、データ圧縮などの後、メインメモリ６８、オプション装置７６などに記録される。操作ユニット１１０はこれらのスイッチの他、回転式のモードダイヤルや十字キーなどによる設定を受け付けてもよく、それらは図３において機能設定部１１６と総称されている。操作ユニット１１０で指定できる動作または機能の例として、「ファイルフォーマット」、「特殊効果」、「印画」、「決定／保存」、「表示切換」などがある。ズームスイッチ１１８は、ズーム倍率を決める。
【００６２】
図４は、起動制御部１３０と、その周辺部分の詳細を示すブロック図である。起動制御部１３０は、検知部１３２、電源切替部１３４、信号制御線切替部の一例であるスイッチ部１３９を有する。検知部１３２は、付加画像を表す信号が、筐体の外部からデジタルカメラ１０内に転送されたか否かを検知する。第１実施形態のデジタルカメラ１０においては、検知部１３２は、入力端子１４０に付加画像を表す電気信号が入力されているか否かを検出することにより、付加画像を表す信号がデジタルカメラ１０に転送されたか否かを検知する。なお検知部１３２は、付加画像を表す電気信号をデジタルカメラ１０に転送する旨の専用の電気信号を検出する形態であってもよい。
電源切替部１３４は、スイッチ１３６、および２つのダイオード１３７，１３８を有する。ダイオード１３７のアノード端子には電源回路１２８からの電圧が印加され、ダイオード１３８のアノード端子にはスイッチ１３６を介してサブ電源１２２からの電圧が印加され、カソード端子同士が接続されている。このカソード端子は、記憶媒体１７７、画像受取部１５０、および記憶制御部１６０の各電源入力端子に接続されている。スイッチ１３６のスイッチ入力端子は検知部１３２の出力と接続されている。検知部１３２は、付加画像がデジタルカメラ１０に転送されたことを検知したとき、スイッチ１３６をオンさせる。電源回路１２８からダイオード１３７に入力される電圧は、サブ電源１２２の出力電圧よりも高い。したがって、電源回路１２８が起動しているときには、たとえスイッチ１３６がオンした場合であっても、メイン電源１２０から記憶媒体１７７、画像受取部１５０、および記憶制御部１６０へ電力が供給される。一方、電源回路１２８が起動していない場合においては、付加画像がデジタルカメラ１０に転送されたことを検知部１３２が検知したとき、サブ電源１２２から記憶媒体１７７、画像受取部１５０、および記憶制御部１６０へ電力が供給される。
【００６３】
スイッチ部１３９は、信号線用のスイッチ１３９ａと制御線用のスイッチ１３９ｂとを有する。信号線用のスイッチ１３９ａの一方の入力端子（Ｈ）には画像受取部１５０が受け取った付加画像を表す画像信号が入力され、他方の入力端子（Ｌ）にはメインバス８２を介して撮像ユニット２０により撮像された被写体画像を表す画像信号が入力され、出力端子（Ｏ）は記憶媒体１７７の信号入力端子に接続される。また制御線用のスイッチ１３９ｂの一方の入力端子（Ｈ）には記憶制御部１６０からの制御信号が入力され、他方の入力端子（Ｌ）にはメインＣＰＵ６２からの制御信号が入力され、出力端子（Ｏ）は記憶媒体１７７の制御入力端子に接続される。これにより、スイッチ１３９ａ，１３９ｂの各Ｈ側の端子は、付加画像を記憶媒体１７７に記憶させるための、サブ電源１２２により動作可能な付加画像記録側となり、各Ｌ側の端子は、付加画像以外の画像（具体的には被写体画像）を記憶媒体１７７に記憶させるための、メイン電源１２０により動作可能な非付加画像記録側となる。
【００６４】
検知部１３２は、付加画像がデジタルカメラ１０に転送されたことを検知したときには各スイッチ１３９ａ，１３９ｂをＨ側に切り替える一方、検知していないときにはＬ側に切り替える。このように、スイッチ部１３９は、検知部１３２による検知結果に応じて、記憶媒体１７７への信号線および制御線を、メイン電源１２０による動作側とサブ電源１２２による動作側のいずれか一方に切り替える。
【００６５】
以上の構成によるデジタルカメラ１０の主な動作は以下のとおりである。まずデジタルカメラ１０のパワースイッチ１１２がオンされるとメイン電源１２０から電源回路１２８を介してカメラ各部に電力が供給される。電力が供給されると、メインＣＰＵ６２は、記憶媒体１７７から付加画像の一例である広告画像を読み出してＬＣＤモニタ１０２に表示させる。検知部１３２は、画像転送装置３００から付加画像が転送されたことを検知していないので、スイッチ部１３９をＬ側（すなわちに非付加画像記録側）に切り替える。
【００６６】
次にメインＣＰＵ６２は、機能設定部１１６の状態を読み込むことで、デジタルカメラ１０が撮影モードにあるか再生モードにあるかを判断する。デジタルカメラ１０が撮影モードにあるとき、メインＣＰＵ６２は、レリーズスイッチ１１４の半押し状態を監視する。半押し状態が検出されたとき、メインＣＰＵ６２は、ユーザが画像の撮像指令のうちの前処理の指令を発したと判断し、まず、測光センサ５４および測距センサ５２からそれぞれ測光データと測距データを得る。得られたデータに基づいて撮像制御ユニット４０が動作し、撮影レンズ２２のピント、絞りなどの調整が行なわれる。調整が完了すると、メインＣＰＵ６２は、広告画像に「スタンバイ」の文字を重ねた処理済画像を表示させることで、デジタルカメラ１０が「スタンバイ」状態にある旨をユーザに伝える。
【００６７】
なおメインＣＰＵ６２は、「スタンバイ」などの文字を重ねた処理済画像が予め設定された所定時間だけ表示された後には、撮像ユニット２０により取り込まれている実画像に「スタンバイ」の文字を重ねた処理済画像を表示させてもよい。この場合ユーザは、「スタンバイ」状態であることだけでなく、撮像ユニット２０により撮像された被写体画像を動画的に確認することができる。
【００６８】
つづいてメインＣＰＵ６２は、レリーズスイッチ１１４の全押し状態を監視する。レリーズスイッチ１１４が全押しされると、メインＣＰＵ６２は、ユーザが画像の撮像指令のうちの実行処理の指令を発したと判断する。すると、所定のシャッタ時間をおいてシャッタ２６が閉じられ、ＣＣＤ３０の蓄積電荷が撮像信号処理部３２へ掃き出される。撮像信号処理部３２による処理の結果生成されたデジタル画像データはメインバス８２へ出力される。デジタル画像データは、一旦メインメモリ６８へ格納され、この後ＹＣ処理部７０と圧縮伸張処理部７８で処理を受け、記憶媒体１７７の所定の記憶領域に記憶（記録）される。
【００６９】
メインＣＰＵ６２は、たとえば記録された画像をフリーズされた状態でしばらくＬＣＤモニタ１０２に表示させる。この場合、ユーザは撮影済の被写体画像を確認することができる。以上で一連の撮影動作が完了する。
【００７０】
一方デジタルカメラ１０が再生モードの場合、メインＣＰＵ６２は、メモリ制御部６４を介してメインメモリ６８から最後に撮影した画像を読み出し、これを表示ユニット１００のＬＣＤモニタ１０２へ表示させる。この状態でユーザが機能設定部１１６にて「順送り」、「逆送り」を指示すると、メインＣＰＵ６２は、現在表示されている画像の前後に撮影された画像を記憶媒体１７７から読み出し、ＬＣＤモニタ１０２に表示させる。
【００７１】
図５は、本発明の画像記憶システムの一実施形態を示す。なお図５は、本発明の画像転送装置の第１実施形態にデジタルカメラ１０の一部が装着される略直前の状態を示している。
【００７２】
図示する画像転送装置３００は、操作面３１０と、操作面３１０の後方側に突き出るように配された背面パネル３２０とを有する。操作面３１０には、操作部３１２、ＬＣＤパネル３１４、およびＬＣＤモニタ３１６が配されている。背面パネル３２０の上面の一部には、略凹状の収容部３３０が設けられている。収容部３３０内には、付加画像をデジタルカメラ１０に転送するための出力端子３３２が設けられている。
【００７３】
前述のように、デジタルカメラ１０は、筐体２００の一側面に、出力端子３３２と勘合可能な入力端子１４０を有する。デジタルカメラ１０は、入力端子１４０側が画像転送装置３００の収容部３３０側を向くようにして、筐体２００の一部が収容部３３０内に収容される。これにより、デジタルカメラ１０の入力端子１４０と、画像転送装置３００の出力端子３３２とが接続される。
【００７４】
操作部３１２は、デジタルカメラ１０を販売する販売店が、デジタルカメラ１０の記憶媒体１７７に付加画像を記憶させるための動作やそのモードなどを設定または指示するために必要な機構（たとえば操作キー）および電気部材を含む。
【００７５】
ＬＣＤパネル３１４は、たとえば小さな白黒ＬＣＤで、操作部３１２における操作状態などの情報を簡易的に表示する。ＬＣＤモニタ３１６は、たとえば４インチ程度の大きさのカラーＬＣＤで、デジタルカメラ１０に転送中の付加画像などを表示する。
【００７６】
デジタルカメラ１０に転送される付加画像は、通信回線と接続された接続線３２２を介して取得されてもよい。あるいは、背面パネル３２０の前面に設けられたスロット部３２４に装着されたメモリカードを介して取得されてもよい。
【００７７】
図６は、第１実施形態の画像転送装置３００の機能ブロック図である。画像転送装置３００は、付加画像を取得する画像取得部３４０と、画像取得部３４０により取得された付加画像を、出力端子３３２を介してデジタルカメラ１０に転送する画像転送部３５０と、画像転送装置３００内の各部の動作を制御する転送制御部３６０とを有する。画像転送部３５０は、画像取得部３４０から入力された付加画像を表す画像信号を転送用の信号レベルに増幅する出力アンプ３５２を有する。
【００７８】
画像転送装置３００を用いて付加画像をデジタルカメラ１０内の記憶媒体１７７に記憶させる場合、たとえば販売店員は、まずデジタルカメラ１０を、電源オフのままで、筐体２００の一部を収容部３３０内に装着（収容）する。次に画像転送装置３００は、デジタルカメラ１０の入力端子１４０と画像転送装置３００の出力端子３３２とが接続された状態において、販売店員により操作部３１２が操作されることで、付加画像を外部から内部の画像取得部３４０に取り込む。販売店員は、この取り込まれた付加画像をＬＣＤモニタ３１６で確認しながらデジタルカメラ１０に転送すべき付加画像を決定する。
【００７９】
次に画像転送装置３００は、販売店員により操作部３１２が操作されることで、転送すべきと決定された付加画像を、出力アンプ３５２および出力端子３３２を介してデジタルカメラ１０に転送する。するとデジタルカメラ１０は、画像転送装置３００から転送された付加画像を表す電気信号を、筐体２００の内部に設けられた画像受取部１５０により受け取る。これと同時に、検知部１３２は、画像転送装置３００から付加画像が転送されたことを検知し、スイッチ部１３９をＨ側（すなわちに付加画像記録側）に切り替える。この後、記憶制御部１６０は、画像受取部１５０が受け取った付加画像を記憶媒体１７７に記憶させる。
【００８０】
このように  上記実施形態の画像記憶システムによれば、記憶媒体１７７がデジタルカメラ１０に設けられた状態のままで、広告画像などを記憶媒体１７７に記憶させることができる。
【００８１】
図７は、第２実施形態によるデジタルカメラ１０の側面図である。画像転送装置３００から転送される付加画像を、電波信号の形態で受け取る構成としている点が第１実施形態と異なる。すなわち、第２実施形態のデジタルカメラ１０は、第１実施形態のデジタルカメラ１０における入力端子１４０が設けられていた筐体２００の側面と略同じ位置に、筐体２００を経由して電波を透過させる電波透過部１４２を有する。この電波透過部１４２は、付加画像を表す電波信号を透過させ得る部材である限り、どのような部材で構成されていてもよい。たとえば筐体２００を刳り貫いた開口部であってもよい。この場合、前記部材は空気である。なお、この開口部を電波透過性の封止部材で覆っておいてもよい。
【００８２】
図８は、第２実施形態によるデジタルカメラ１０における、起動制御部１３０と、その周辺部分の詳細を示すブロック図である。第２実施形態のデジタルカメラ１０においては、検知部１３２は、電波透過部１４２を介して付加画像を表す電波信号が入力されているか否かを検出することにより、付加画像を表す信号がデジタルカメラ１０に転送されたか否かを検知する。なお検知部１３２は、付加画像を表す電波信号をデジタルカメラ１０に転送する旨の専用の電波信号を検出する形態であってもよい。
【００８３】
第２実施形態の画像受取部１５０は、電波透過部１４２を介して入力された付加画像を表す電波信号を受信する受信部１５２と、受信部１５２により受信された電波信号を付加画像を表す電気信号に変換する画像信号変換部１５４とを有する。
【００８４】
図９は、第２実施形態の画像転送装置３００の機能ブロック図である。付加画像を、電波信号の形態でデジタルカメラ１０に転送する構成としている点が第１実施形態と異なる。すなわち、第２実施形態の画像転送装置３００は、電波信号変換部３５６と出力アンプ３５２とを含む画像転送部３５０を有する。
【００８５】
電波信号変換部３５６は、画像取得部３４０により取得された付加画像を表す電気信号を無線周波数帯（たとえば数１０ＭＨｚ〜数ＧＨｚ程度）などの電波信号に変換し、この電波信号を出力アンプ３５２を介してデジタルカメラ１０に転送する。
【００８６】
第２実施形態の画像転送装置３００を用いて付加画像をデジタルカメラ１０内の記憶媒体１７７に記憶させる場合、たとえば販売店員は、まずデジタルカメラ１０の一部を収容部３３０内に装着する。画像転送装置３００は、デジタルカメラ１０が収容部３３０に装着された状態において、電波信号変換部３５６により変換された付加画像を表す電波信号をデジタルカメラ１０に転送する。するとデジタルカメラ１０は、画像転送装置３００から転送された付加画像を表す電波信号を、筐体３００の内部に設けられた画像受取部１５０の受信部１５２により受け取る。そしてデジタルカメラ１０は、受け取った電波信号を画像信号変換部１５４により電気信号に戻して、記憶媒体１７７に記憶させる。
【００８７】
このように第２実施形態においても、記憶媒体１７７がデジタルカメラ１０に設けられた状態のままで、広告画像などを記憶媒体１７７に記憶させることができる。
【００８８】
図１０は、第３実施形態によるデジタルカメラ１０の側面図である。画像転送装置３００から転送される付加画像を、光信号の形態で受け取る構成としている点が第２実施形態と異なる。すなわち、第３実施形態のデジタルカメラ１０は、第２実施形態のデジタルカメラ１０における電波透過部１４２が設けられていた筐体２００の側面と略同じ位置に、筐体２００を経由して光を透過させる光透過部１４６を有する。この光透過部１４６は、付加画像を表す光信号を透過させ得る部材である限り、どのような部材で構成されていてもよい。たとえば光透過性の有機部材（プラスチックなど）であってもよいし、筐体２００を刳り貫いた開口部であってもよい。開口部の場合、前記部材は空気である。なお、この開口部を光透過性の封止部材で覆っておいてもよい。
【００８９】
図１１は、第３実施形態によるデジタルカメラ１０における、起動制御部１３０と、その周辺部分の詳細を示すブロック図である。第３実施形態のデジタルカメラ１０においては、検知部１３２は、光透過部１４６を介して付加画像を表す光信号が入力されているか否かを検出することにより、付加画像を表す信号がデジタルカメラ１０に転送されたか否かを検知する。なお検知部１３２は、付加画像を表す光信号をデジタルカメラ１０に転送する旨の専用の光信号を検出する形態であってもよい。
【００９０】
第３実施形態の画像受取部１５０は、光透過部１４６を介して入力された付加画像を表す光信号を受光する受光部１５６と、受光部１５６により受光された光信号を付加画像を表す電気信号に変換する画像信号変換部１５８とを有する。
【００９１】
図１２は、第３実施形態の画像転送装置３００の機能ブロック図である。付加画像を、光信号の形態でデジタルカメラ１０に転送する構成としている点が第２実施形態と異なる。すなわち、第３実施形態の画像転送装置３００は、光信号変換部３５８と出力アンプ３５２とを含む画像転送部３５０を有する。
【００９２】
光信号変換部３５８は、画像取得部３４０により取得された付加画像を表す電気信号を赤外線やレーザビームなどの光信号に変換し、この光信号を出力アンプ３５２を介してデジタルカメラ１０に転送する。
【００９３】
第３実施形態の画像転送装置３００を用いて付加画像をデジタルカメラ１０内の記憶媒体１７７に記憶させる場合、たとえば販売店員は、まずデジタルカメラ１０を収容部３３０内に装着する。画像転送装置３００は、デジタルカメラ１０が収容部３３０に装着された状態において、光信号変換部３５８により変換された付加画像を表す光信号をデジタルカメラ１０に転送する。するとデジタルカメラ１０は、画像転送装置３００から転送された付加画像を表す光信号を、筐体３００の内部に設けられた画像受取部１５０の受光部１５６により受け取る。そしてデジタルカメラ１０は、受け取った光信号を画像信号変換部１５８により電気信号に戻して、記憶媒体１７７に記憶させる。
【００９４】
このように第３実施形態においても、記憶媒体１７７がデジタルカメラ１０に設けられた状態のままで、広告画像などを記憶媒体１７７に記憶させることができる。
【００９５】
なお第３実施形態において、画像転送装置３００とデジタルカメラ１０との間で光信号を転送するに際しては、光コネクタや光ケーブルが用いられてもよい。
【００９６】
以上、本発明を実施の形態を用いて説明したが、本発明の技術的範囲は上記実施の形態に記載の範囲には限定されない。上記実施の形態に、多様な変更または改良を加えることができる。その様な変更または改良を加えた形態も本発明の技術的範囲に含まれ得ることが、特許請求の範囲の記載から明らかである。
【００９７】
【発明の効果】
以上のように、本発明によれば、記憶媒体が画像撮像装置に設けられた状態のままで、広告画像などを記憶媒体に記憶させることができる。
【図面の簡単な説明】
【図１】本発明の画像撮像装置の第１実施形態によるデジタルカメラの外観図であって、（Ａ）は撮像面、（Ｂ）は操作面、（Ｃ）は側面を示す
【図２】第１実施形態によるデジタルカメラの筐体内に収容される主要部材を示す図
【図３】第１実施形態によるデジタルカメラの機能ブロック図
【図４】第１実施形態によるデジタルカメラにおける、起動制御部とその周辺部分の詳細を示すブロック図
【図５】本発明の画像記憶システムの一実施形態を示す図
【図６】第１実施形態の画像転送装置の機能ブロック図
【図７】第２実施形態によるデジタルカメラの側面図
【図８】第２実施形態によるデジタルカメラにおける、起動制御部とその周辺部分の詳細を示すブロック図
【図９】第２実施形態の画像転送装置の機能ブロック図
【図１０】第３実施形態によるデジタルカメラの側面図
【図１１】第３実施形態によるデジタルカメラにおける、起動制御部と、その周辺部分の詳細を示すブロック図
【図１２】第３実施形態の画像転送装置の機能ブロック図
【符号の説明】
１０      デジタルカメラ
２０      撮像ユニット
４０      撮像制御ユニット
６０      処理ユニット
６２      メインＣＰＵ
１００    表示ユニット
１１０    操作ユニット
１２０    メイン電源
１２２    サブ電源
１３０    起動制御部
１４０    入力端子
１４２    電波透過部
１４６    光透過部
１５０    画像受取部
１５２    受信部
１５４    画像信号変換部
１５６    受光部
１５８    画像信号変換部
１７７    記憶媒体
２００    筐体
２１０    外装紙
３００    画像転送装置
３３０    収容部
３４０    画像取得部
３５０    画像転送部
３５２    出力アンプ
３５６    電波信号変換部
３５８    光信号変換部
【図１】
0004213875.tif 000002
【図２】
0004213875.tif 000003
【図３】
0004213875.tif 000004
【図４】
0004213875.tif 000005
【図５】
0004213875.tif 000006
【図６】
0004213875.tif 000007
【図７】
0004213875.tif 000008
【図８】
0004213875.tif 000009
【図９】
0004213875.tif 000010
【図１０】
0004213875.tif 000011
【図１１】
0004213875.tif 000012
【図１２】
0004213875.tif 000013